(57)【特許請求の範囲】
【請求項１】
前胴周り域および後胴周り域と、それら胴周り域の間に位置する股下域とを有し、前記前後胴周り域の両側部に縦方向へ延びる係合部材が取り付けられ、前記係合部材を介して前記前後胴周り域が連結された使い捨て着用物品において、
前記係合部材が、前記前胴周り域の側部外面に取り付けられて縦方向へ所与寸法離間して並ぶ第１および第２係合部材と、前記後胴周り域の側部内面に取り付けられた第３係合部材とから構成され、
前記第１係合部材が前記前胴周り域の側部の縦方向上方部分に位置し、前記第２係合部材が前記前胴周り域の側部の縦方向下方部分に位置するとともに、前記第３係合部材が前記後胴周り域の側部の縦方向中央部分に位置し、前記第１〜第３係合部材が縦方向へ並んだときのそれら係合部材の縦方向の合計長さ寸法が、前記前後胴周り域の側部の縦方向の長さ寸法とほぼ同一であって、前記第１〜第３係合部材によって前記前後胴周り域の側部の縦方向の長さ寸法のほぼ全体が係合し、前記第１および第２係合部材の外面と前記第３係合部材の内面とにメカニカルファスナのうちのフックが形成されていることを特徴とする前記物品。
【請求項２】
前記後胴周り域の両側部が、前記第３係合部材を介して前記股下域の所要部位の外面に止着可能である請求項１記載の物品。
【請求項３】
前記第３係合部材の縦方向の長さ寸法が、前記第１および第２係合部材の縦方向の離間寸法とほぼ同一または前記第１および第２係合部材の縦方向の離間寸法よりもわずかに大きい請求項１または請求項２に記載の物品。
【請求項４】
前記第３係合部材の縦方向の長さ寸法が、前記第１および第２係合部材の縦方向の長さ寸法よりも小さい請求項１ないし請求項３いずれかに記載の物品。
【発明の詳細な説明】
【０００１】
【発明の属する技術分野】
本発明は、排泄物を吸収、保持する使い捨て着用物品に関する。
【０００２】
【従来の技術】
前胴周り域および後胴周り域と、それら胴周り域の間に位置する股下域とを有し、前後胴周り域の両側部に縦方向へ延びる係合部材が取り付けられ、それら係合部材を介して前後胴周り域の両側部が連結された使い捨て着用物品がある（特許文献１参照）。係合部材の一方は、メカニカルファスナのうちのフックであり、前胴周り域の両側部の外面に取り付けられている。係合部材の他方は、メカニカルファスナのうちのループであり、前胴周り域の両側部の内面に取り付けられている。
【０００３】
保護者や介護者がこの物品を着用者に装着する手順は、以下のとおりである。保護者や介護者は、前胴周り域の側部外面に後胴周り域の側部内面を重ね合わせ、フックとループとを係合させて前後胴周り域の側部どうしを連結する。前後胴周り域が連結された物品には、胴周り開口と一対の脚周り開口とが形成される。保護者や介護者は、前後胴周り域を連結した後、着用者の両脚を胴周り開口から脚周り開口へ通し、物品を着用者の胴部に引き上げる。
【０００４】
【特許文献１】
実開平６−５５６２３号公報
【０００５】
【発明が解決しようとする課題】
特許文献１に開示の物品は、前胴周り域の側部外面に取り付けられたフックと後胴周り域の側部内面に取り付けられたループとの係合位置が横方向へずれ、ループが物品の内側に露出した状態で物品が着用者に装着されると、後胴周り域の側部の縦方向上方部分に位置するループが着用者の腹部に接するとともに、後胴周り域の側部の縦方向下方部分に位置するループが着用者の脚部に接して着用者に不快な刺激を与える。
【０００６】
この物品は、排泄物で汚れたそれを廃棄する場合、股下域を前胴周り域の外面に向かって折り曲げ、前胴周り域の側部に取り付けられたフックを股下域の外面に係合させて物品の畳まれた状態を維持し得るにしても、前胴周り域の側部を物品の内側に向かって折り曲げてフックを股下域の外面に対向させなければならず、その分手間を要する。また、前胴周り域の側部を股下域に止着したときに、フックと股下域の外面とにそれらを互いに離間させる剥離力が作用するので、フックと股下域の外面との係合が外れ易く、物品の畳まれた状態が不用意に解除されてしまう場合がある。
【０００７】
本発明の目的は、着用中の不快感がなく、廃棄時に手間を要せず畳むことができる使い捨て着用物品を提供することにある。
【０００８】
【課題を解決するための手段】
前記課題を解決するための本発明の前提は、前胴周り域および後胴周り域と、それら胴周り域の間に位置する股下域とを有し、前記前後胴周り域の両側部に縦方向へ延びる係合部材が取り付けられ、前記係合部材を介して前記前後胴周り域が連結された使い捨て着用物品である。
【０００９】
前記前提における本発明の特徴は、前記係合部材が、前記前胴周り域の側部外面に取り付けられて縦方向へ所与寸法離間して並ぶ第１および第２係合部材と、前記後胴周り域の側部内面に取り付けられた第３係合部材とから構成され、前記第１係合部材が前記前胴周り域の側部の縦方向上方部分に位置し、前記第２係合部材が前記前胴周り域の側部の縦方向下方部分に位置するとともに、前記第３係合部材が前記後胴周り域の側部の縦方向中間部分に位置し、前記第１〜第３係合部材が縦方向へ並んだときのそれら係合部材の縦方向の合計長さ寸法が、前記前後胴周り域の側部の縦方向の長さ寸法とほぼ同一であって、前記第１〜第３係合部材によって前記前後胴周り域の側部の縦方向の長さ寸法のほぼ全体が係合し、前記第１および第２係合部材の外面と前記第３係合部材の内面とにメカニカルファスナのうちのフックが形成されていることにある。
【００１０】
本発明の実施態様の一例としては、前記後胴周り域の両側部が、前記第３係合部材を介して前記股下域の所要部位の外面に止着可能である。
【００１１】
本発明の実施態様の他の一例としては、前記第３係合部材の縦方向の長さ寸法が、前記第１および第２係合部材の縦方向の離間寸法とほぼ同一または前記第１および第２係合部材の縦方向の離間寸法よりもわずかに大きい。
【００１２】
本発明の実施態様の他の一例としては、前記第３係合部材の縦方向の長さ寸法が、前記第１および第２係合部材の縦方向の長さ寸法よりも小さい。
【００１３】
【００１４】
【発明の実施の形態】
添付の図面を参照し、本発明に係る使い捨て着用物品の詳細を説明すると、以下のとおりである。
【００１５】
図１は、一例として示す着用物品１Ａの斜視図であり、図３，４は、図１のＩＩ−ＩＩ線端面図と、図１のＩＩＩ−ＩＩＩ線端面図とである。図１では、横方向を矢印Ｌ、縦方向を矢印Ｍで示し、厚み方向を矢印Ｎで示す。なお、アウターシート２や係合部材１１，１２，１３、表裏面シート２３，２４の内面とは、着用者の肌に対向する面をいい、それらの外面とは、着用者の肌に非対向の面をいう。
【００１６】
物品１Ａは、その外観形状を形作る不透液性アウターシート２と、アウターシート２の内面に取り付けられた積層パネル３とから構成されている。物品１Ａは、縦方向に前胴周り域４および後胴周り域６と、それら胴周り域４，６の間に位置する股下域５とを備え、前後胴周り域４，６を横方向へ延びる両端部７と、前後胴周り域４，６間を縦方向へ延びる両側部８，９，１０とを有する。
【００１７】
前後胴周り域４，６の両側部８，１０は、縦方向の長さ寸法がほぼ同一である。前胴周り域４の両側部８には、第１および第２係合部材１１，１２が取り付けられ、後胴周り域６の両側部１０には、第３係合部材１３が取り付けられている。パネル３は、その平面形状が略矩形を呈し、前後胴周り域４，６間に延びている。
【００１８】
アウターシート２は、前後胴周り域４，６と股下域５とを画成するとともに、両端部７と両側部８，９，１０とを画成する。アウターシート２は、互いに重なり合う２枚の非伸縮性かつ疎水性繊維不織布１４，１５を接合した複合不織布から形成されている。不織布１４，１５は、それらの対向面が接着剤（図示せず）を介して断続的に接合されている。アウターシート２は、股下域５に延びる両側縁が物品１Ａの横方向内方へ向かって弧を画き、その平面形状が実質的に砂時計型を呈する。アウターシート２には、複数条の第１および第２胴周り用弾性部材１６，１７と複数条の脚周り用弾性部材１８とが収縮可能に取り付けられている。アウターシート２には、それら弾性部材１６，１７，１８の収縮によって多数のギャザーが形成されている。
【００１９】
第１胴周り用弾性部材１６は、両端部７に位置して横方向へ延びている。第１胴周り用弾性部材１６は、糸状を呈し、その複数条が縦方向へほぼ一定間隔で並んでいる。第２胴周り用弾性部材１７は、第１胴周り用弾性部材１６と脚周り用弾性部材１８との間に位置して前後胴周り域４，６を横方向へ延びている。第２胴周り用弾性部材１７は、糸状を呈し、その複数条が縦方向へほぼ一定間隔で並んでいる。脚周り用弾性部材１８は、糸状を呈し、両側部８，９，１０に位置して股下域５から前後胴周り域４，６に向かって縦方向へ延びている。それら弾性部材１６，１７，１８は、アウターシート２を形成する不織布１４，１５の間に介在し、それら不織布１４，１５の対向面に断続的に固着されている。不織布１４，１５とそれら弾性部材１６，１７，１８との固着時では、弾性部材１６，１７，１８を所定の倍率に伸長させた状態にある。前後胴周り域４，６の両側部８，１０は、第１および第２胴周り用弾性部材１６，１７によって横方向へ伸縮可能である。
【００２０】
第１および第２係合部材１１，１２は、縦長矩形を呈し、縦方向へ所与寸法離間して並んでいる。第１および第２係合部材１１，１２は、前胴周り域４の側部８外面であって側部８の縦方向中央部分８ｂを除いた縦方向上方部分８ａと縦方向下方部分８ｃとに取り付けられている。第１係合部材１１は、側部８の縦方向上方部分８ａであって側部８の側縁１９およびその近傍に位置している。第１係合部材１１は、その内面がアウターシート２（不織布１５）の外面に固着されている。第１係合部材１１は、第１および第２胴周り用弾性部材１６，１７の横方向両端部１６ａ，１７ａに重なっている。第２係合部材１２は、側部８の縦方向下方部分８ｃであって側部８の側縁１９およびその近傍に位置している。第２係合部材１２は、その内面がアウターシート２（不織布１５）の外面に固着されている。第２係合部材１２は、第２胴周り用弾性部材１７の横方向両端部１７ａと脚周り用弾性部材１８の縦方向端部１８ａとに重なっている。第１および第２係合部材１１，１２は、それらの外側縁１１ａ，１２ａが着用者の肌に接することによる不快な刺激を防ぐため、外側縁１１ａ，１２ａが側部８の側縁１９の内側に位置している。第１および第２係合部材１１，１２の外面全体には、メカニカルファスナのうちの多数のフック２０が形成されている。フック２０は、それら係合部材１１，１２の外面から物品１Ａの厚み方向へ延びている。
【００２１】
第３係合部材１３は、縦長矩形を呈し、後胴周り域６の側部１０内面に取り付けられている。第３係合部材１３は、側部１０の縦方向上方部分１０ａと縦方向下方部分１０ｃとを除いた縦方向中央部分１０ｂであって側部１０の側縁２１およびその近傍に位置している。第３係合部材１３は、その外面がアウターシート２（不織布１４）の内面に固着されている。第３係合部材１３は、第２胴周り用弾性部材１７の横方向両端部１７ａに重なっている。第３係合部材１３は、その外側縁１３ａが着用者の肌に接することによる不快な刺激を防ぐため、外側縁１３ａが側部１０の側縁２１の内側に位置している。第３係合部材１３の内面全体には、メカニカルファスナのうちの多数のフック２２が形成されている。フック２２は、係合部材１３の内面から物品１Ａの厚み方向へ延びている。
【００２２】
第３係合部材１３は、縦方向の長さ寸法Ｓ４が第１および第２係合部材１１，１２の縦方向の長さ寸法Ｓ１，Ｓ２とほぼ同一であり、長さ寸法Ｓ４が第１および第２係合部材１１，１２の縦方向の離間寸法Ｓ３よりもわずかに大きい。第１〜第３係合部材１１，１２，１３は、それら係合部材１１，１２，１３が縦方向へ並んだときの係合部材１１，１２，１３の縦方向の合計長さ寸法Ｓ５が前後胴周り域４，６の側部８，１０の縦方向の長さ寸法Ｓ６とほぼ同一である（図６，７参照）。
【００２３】
図４，５は、図１のＩＶ−ＩＶ線矢視断面図と、図１のＶ−Ｖ線矢視断面図とである。
【００２４】
パネル３は、肌当接側に位置する透液性表面シート２３と、肌非当接側に位置する不透液性裏面シート２４と、表裏面シート２３，２４の間に介在する吸液性コア２５とから形成されている。パネル３は、物品１Ａの着用中に排泄された排泄物を吸収、保持する。パネル３は、前後胴周り域４，６を横方向へ延びる両端部２７と、前後胴周り域４，６間を縦方向へ延びる両側部２８とを有する。パネル３では、それを形成する裏面シート２４の外面がアウターシート２（不織布１４）の内面に断続的または連続的に固着されている。パネル３の両側部２７には、前後胴周り域４，６間を縦方向へ延びる一対の液抵抗性防漏シート２８が取り付けられている。
【００２５】
表面シート２３は、親水性繊維不織布２９から形成され、裏面シート２４は、疎水性繊維不織布３０から形成されている。コア２５は、表裏面シート２３，２４のうちの少なくとも一方に固着されている。コア２５は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。コア２５は、その型崩れやポリマーの脱落を防止するため、全体がティッシュペーパーや親水性繊維不織布等の透液性シートに包被されていることが好ましい。ポリマーには、デンプン系、セルロース系、合成ポリマー系を使用することができる。
【００２６】
両端部２６は、コア２５の端縁２５ａから縦方向外方へ延びる表裏面シート２３，２４の端部２３ａ，２４ａから形成されている。両端部２６では、表裏面シート２３，２４の端部２３ａ，２４ａが互いに重なり合った状態で、それらシート２３，２４の内外面が固着されている。両側部２７は、コア２５の側縁２５ｂから横方向外方へ延びる表裏面シート２３，２４の側部２３ｂ，２４ｂから形成されている。両側部２７では、表裏面シート２３，２４の側部２３ｂ，２４ｂが互いに重なり合った状態で、それらシート２３，２４の内外面が固着されている。
【００２７】
防漏シート２８は、疎水性繊維不織布３１から形成されている。防漏シート２８は、パネル３の側部２７と並行して縦方向へ延びる固定側部２８ａと、固定側部２８ａと並行して縦方向へ延びる可動部２８ｂと、可動部２８ｂの縦方向両側に位置する固定両端部２８ｃとを有する。固定側部２８ａは、アウターシート２と裏面シート２４との間に介在し、アウターシート２（不織布１４）の内面と裏面シート２４の外面とに固着されている。可動部２８ｂの上方には、縦方向へ延びる伸縮性弾性部材３２が収縮可能に取り付けられている。弾性部材３２は、糸状を呈し、可動部２８ｂの一部に覆われた状態で、可動部２８ｂに固着されている。固定両端部２８ｃは、パネル３の両端部２６に位置し、物品１Ａの横方向内方へ倒伏した状態で表面シート２３の外面に固着されている。防漏シート２８では、物品１Ａがパネル３を内側にして縦方向へ湾曲すると、弾性部材３２が収縮して可動部２８ｂが表面シート２３の上方へ起立し、可動部２８ｂが排泄物に対する障壁を形成する。
【００２８】
図６，７は、着用状態で示す図１の物品１Ａの斜視図と、図６のＶＩＩ−ＶＩＩ線端面図とであり、図８は、廃棄するために畳まれた図１の物品１Ａの斜視図である。図６では、横方向を矢印Ｌ、縦方向を矢印Ｍで示し、後胴周り域６の両側部１０を前胴周り域４の横方向中央の側に移動させた状態を二点鎖線で示す。
【００２９】
保護者や介護者が着用者に物品１Ａを装着する手順は、以下のとおりである。保護者や介護者は、後胴周り域６の側部１０内面を前胴周り域４の側部８外面に重ね合わせ、後胴周り域６の側部１０を前胴周り域４の側部８に押し付ける。側部１０を側部８に押し付けると、フック２０がアウターシート２を形成する不織布１４の繊維に引っ掛かかり、第１および第２係合部材１１，１２が後胴周り域６の側部１０内面に係合するとともに、フック２２がアウターシート２を形成する不織布１５の繊維に引っ掛かかり、第３係合部材１３が前胴周り域４の側部８外面に係合し、それら胴周り域４，６の側部８，１０どうしを連結することができる。前後胴周り域４，６が連結された物品１Ａには、胴周り開口３３と一対の脚周り開口３４とが形成される。保護者や介護者は、前後胴周り域４，６を連結した後、着用者の両脚を胴周り開口３３から脚周り開口３４へ通し、物品１Ａを着用者の胴部に引き上げる。
【００３０】
物品１Ａは、第３係合部材１３が後胴周り域６の側部１０の縦方向上方部分１０ａと縦方向下方部分１０ｃとに存在しないので、それら胴周り域４，６の側部８，１０の連結位置が横方向へずれたとしても、側部１０の縦方向上方部分１０ａと縦方向下方部分１０ｃとにおいて第３係合部材１３が物品１Ａの内側に露出することはない。物品１Ａは、側部１０の縦方向上方部分１０ａと縦方向下方部分１０ｃとが着用者の腹部と脚部とに接したとしても、そこにフック２２が存在せず、そこに位置するアウターシート２が腹部と脚部とに接するだけなので、着用者の肌に不快な刺激を与えることはない。
【００３１】
物品１Ａは、図６，７に示すように、第１〜第３係合部材１１，１２，１３が縦方向へほぼ直線状に並んだときに、それら係合部材１１，１２，１３どうしの間（縦方向へ直線状に並ぶ第１係合部材１１と第３係合部材１３との間、縦方向へ直線状に並ぶ第２係合部材１２と第３係合部材１３との間）に係合部材１１，１２，１３が存在しない非存在部位が生じることはなく、それら係合部材１１，１２，１３の間に非存在部位が生じる場合と比較し、それら胴周り域４，６の側部８，１０どうしの連結が解除され難い。
【００３２】
物品１Ａは、それら係合部材１１，１２，１３の縦方向の合計長さ寸法Ｓ５が前後胴周り域４，６の側部８，１０の縦方向の長さ寸法Ｓ６とほぼ同一であるので、それら係合部材１１，１２，１３を前胴周り域４の外面や後胴周り域６の内面に係合させたときに、前後胴周り域４，６の側部８，１０の縦方向の長さ寸法Ｓ６のほぼ全体を係合させることができ、それら胴周り域４，６の側部８，１０どうしを確実に連結させることができる。
【００３３】
保護者や介護者は、前後胴周り域４，６による着用者の胴部の締め付けが不十分である
場合、着用者に物品１Ａを装着した状態のまま前後胴周り域４，６の側部８，１０どうしの連結を解除し、後胴周り域６の側部１０を矢印Ｌ１で示す前胴周り域４の横方向中央へ向かって引っ張り、後胴周り域６の側部１０内面を前胴周り域４の所要部位外面に重ね合わせ、それら係合部材１１，１２，１３を介して再び前後胴周り域４，６を連結する。
【００３４】
物品１Ａは、それを着用者に装着した後、図６に二点鎖線で示すように、それら係合部材１１，１２，１３を介して再び前胴周り域４と後胴周り域６とを連結することができるので、着用者の胴周り寸法に合わせて物品１Ａの胴周り寸法Ｓ７を調節することができ、前後胴周り域４，６による着用者の胴部の締め付け具合を代えることができる。ゆえに、物品１Ａは、着用者の胴周り寸法の如何に拘わらず、着用者の胴部を十分に締め付けることができ、着用中における物品１Ａのずれ下がりを防ぐことができる。
【００３５】
物品１Ａは、第１および第２係合部材１１，１２が第１および第２胴周り用弾性部材１６，１７の横方向両端部１６ａ，１７ａ上と脚周り用弾性部材１８の縦方向端部１８ａ上とに位置し、第３係合部材１３が第２胴周り用弾性部材１７の横方向両端部１７ａ上に位置しているので、後胴周り域６の側部１０を前胴周り域４の横方向中央へ向かって引っ張り、後胴周り域４の側部１０内面を前胴周り域４の所要部位外面に連結したときに、弾性部材１６，１７が横方向へ引っ張られて伸長するとともに、弾性部材１８が縦方向へ引っ張られて伸長し、それら弾性部材１６，１７，１８の収縮力を十分に利用して着用者の胴部と脚部とを締め付けることができる。
【００３６】
排泄物で汚れた物品１Ａを廃棄する一例は、以下のとおりである。保護者や介護者は、前胴周り域４と後胴周り域６との連結を解除し、着用者から物品１Ａを脱がせた後、物品１Ａの股下域５を前胴周り域４の外面に向かって折り曲げ、後胴周り域６の両側部１０を股下域５の横方向中央へ向かって引っ張り、後胴周り域６の側部１０を股下域５の外面に押し付ける。側部１０を股下域５に押し付けると、フック２２がアウターシート２を形成する不織布１５の繊維に引っ掛かり、第３係合部材１３を介して後胴周り域６の側部１０を股下域５の外面に止着することができる。
【００３７】
物品１Ａは、図８に示すように、第３係合部材１３によって物品１Ａの畳まれた状態が
維持されるので、物品１Ａを畳んだ状態のまま廃棄することができる。物品１Ａは、第３係合部材１３によって胴周り開口３３と脚周り開口３４との閉じた状態が維持されるので、排泄物が胴周り開口３３や脚周り開口３４から物品１Ａの外側に漏出したり、排泄物の臭気が胴周り開口３３や脚周り開口３４から物品１Ａの外側に漏れることはない。
【００３８】
物品１Ａは、後胴周り域６の両側部１０を物品１Ａの内側に向かって折り曲げる必要はなく、第３係合部材１３が股下域５の外面に対向するので、側部１０をそのまま股下域５の外面に押し付ければよく、廃棄時に手間を要せずに物品１Ａを畳むことができる。物品１Ａは、それが畳まれたときに、後胴周り域６の側部１０と股下域５の外面とに剥離力が作用することはなく、第３係合部材１３が股下域５の外面から外れ難く、物品１Ａの畳まれた状態が不用意に解除されてしまうことはない。
【００３９】
図９は、他の一例として示す着用物品１Ｂの斜視図であり、図１０，１１は、図９のＸ−Ｘ線端面図と、図９のＸＩ−ＸＩ線端面図とである。図９では、横方向を矢印Ｌ、縦方向を矢印Ｍで示し、厚み方向を矢印Ｎで示す。
【００４０】
物品１Ｂは、不透液性アウターシート２と、アウターシート２の内面に取り付けられた積層パネル３とから構成されている。物品１Ｂは、縦方向に前後胴周り域４，６と、それら胴周り域４，６の間に位置する股下域５とを備え、横方向へ延びる両端部７と、縦方向へ延びる両側部８，９，１０とを有する。前後胴周り域４，６の両側部８，１０は、縦方向の長さ寸法がほぼ同一である。前胴周り域４の両側部８には、第１および第２係合部材１１，１２が取り付けられ、後胴周り域６の両側部１０には、第３係合部材１３が取り付けられている。パネル３は、前後胴周り域４，６間に延びている。
【００４１】
アウターシート２は、前後胴周り域４，６と股下域５とを画成するとともに、両端部７と両側部８，９，１０とを画成する。アウターシート２は、互いに重なり合う２枚の伸縮性かつ疎水性繊維不織布３５，３６を接合した伸縮性複合不織布から形成されている。不織布３５，３６は、それらの対向面が接着剤（図示せず）を介して断続的に接合されている。アウターシート２は、股下域５に延びる両側縁が物品１Ｂの横方向内方へ向かって弧を画き、その平面形状が実質的に砂時計型を呈する。アウターシート２には、胴周り用弾
性部材３７と複数条の脚周り用弾性部材１８とが収縮可能に取り付けられている。
【００４２】
胴周り用弾性部材３７は、帯状を呈し、両端部７に位置して横方向へ延びている。脚周り用弾性部材１８は、糸状を呈し、両側部８，９，１０に位置して縦方向へ延びている。それら弾性部材１８，３７は、アウターシート２を形成する不織布３５，３６の間に介在し、それら不織布３５，３６の対向面に断続的に固着されている。不織布３５，３６とそれら弾性部材１８，３７との固着時では、弾性部材１８，３７を所定の倍率に伸長させた状態にある。前後胴周り域４，６の両側部８，１０は、アウターシート２の伸縮性によって縦方向と横方向とのうちの少なくとも横方向へ伸縮可能である。
【００４３】
第１および第２係合部材１１，１２は、縦長矩形を呈し、前胴周り域４の側部８外面に取り付けられて縦方向へ所与寸法離間して並んでいる。第１係合部材１１は、側部８の縦方向上方部分８ａであって側部８の側縁１９およびその近傍に位置し、その内面がアウターシート２（不織布３６）の外面に固着されている。第２係合部材１２は、側部８の縦方向下方部分８ｃであって側部８の側縁１９およびその近傍に位置し、その内面がアウターシート２（不織布３６）の外面に固着されている。第１および第２係合部材１１，１２は、それらの外側縁１１ａ，１２ａが側部８の側縁１９の内側に位置している。第１および第２係合部材１１，１２の外面全体には、物品１Ｂの厚み方向へ延びる多数のフック２０が形成されている。
【００４４】
第３係合部材１３は、縦長矩形を呈し、後胴周り域６の側部１０内面に取り付けられている。第３係合部材１３は、側部１０の縦方向中央部分１０ｂであって側部１０の側縁２１およびその近傍に位置し、その外面がアウターシート２（不織布３５）の内面に固着されている。第３係合部材１３は、その外側縁１３ａが側部１０の側縁２１の内側に位置している。第３係合部材１３の内面全体には、物品１Ｂの厚み方向へ延びる多数のフック２２が形成されている。第３係合部材１３は、その縦方向の長さ寸法Ｓ４が第１および第２係合部材１１，１２の縦方向の長さ寸法Ｓ１，Ｓ２よりも小さく、長さ寸法Ｓ４が第１および第２係合部材１１，１２の縦方向の離間寸法Ｓ３とほぼ同一である。第１〜第３係合部材１１，１２，１３は、それら係合部材１１，１２，１３が縦方向へ並んだときの係合部材１１，１２，１３の縦方向の合計長さ寸法Ｓ５が前後胴周り域４，６の側部８，１０の縦方向の長さ寸法Ｓ６とほぼ同一である（図１４，１５参照）。
【００４５】
図１２，１３は、図８のＸＩＩ−ＸＩＩ線矢視断面図と、図８のＸＩＩＩ−ＸＩＩＩ線矢視断面図とである。
【００４６】
パネル３は、透液性表面シート２３および不透液性裏面シート２４と、表裏面シート２３，２４の間に介在してそれらシート２３，２４のうちの少なくとも一方に接合された吸液性コア２５とから形成されている。パネル３は、排泄物を吸収、保持する。パネル３は、その平面形状が略矩形を呈し、前後胴周り域４，６間に延びている。パネル３は、横方向へ延びる両端部２６と、縦方向へ延びる両側部２７とを有する。パネル３では、裏面シート２４の外面がアウターシート２（不織布３５）の内面に断続的または連続的に固着されている。パネル３の両側部２６には、縦方向へ延びる一対の液抵抗性防漏シート２８が取り付けられている。表裏面シート２３，２４は、図１のそれらと同一の親水性繊維不織布２９および疎水性繊維不織布３０から形成されている。コア２５は、図１のそれと同一である。
【００４７】
両端部２６は、コア２５の端縁２５ａから縦方向外方へ延びる表裏面シート２３，２４の端部２３ａ，２４ａから形成されている。両端部２６では、表裏面シート２３，２４の端部２３ａ，２４ａが互いに重なり合った状態で固着されている。両側部２７は、コア２５の側縁２５ｂから横方向外方へ延びる表裏面シート２３，２４の側部２３ｂ，２４ｂから形成されている。両側部２７では、表裏面シート２３，２４の側部２３ｂ，２４ｂが互いに重なり合った状態で固着されている。
【００４８】
防漏シート２８は、図１のそれと同一の疎水性繊維不織布３１から形成されている。防漏シート２８は、縦方向へ延びる固定側部２８ａと、縦方向へ延びる可動部２８ｂと、可動部２８ｂの縦方向両側に位置する固定両端部２８ｃとを有する。固定側部２８ａは、アウターシート２と裏面シート２４との間に介在し、アウターシート２（不織布３５）の内面と裏面シート２４の外面とに固着されている。可動部２８ｂには、縦方向へ延びる伸縮性弾性部材３２が収縮可能に取り付けられている。可動部２８ｂは、弾性部材３２の収縮によって表面シート２３の上方へ起立し、排泄物に対する障壁を形成する。固定両端部２８ｃは、パネル３の両端部２６に位置し、物品１Ｂの横方向内方へ倒伏した状態で表面シート２３の外面に固着されている。
【００４９】
図１４，１５は、着用状態で示す図９の物品１Ｂの斜視図と、図１４のＸＶ−ＸＶ線端面図とである。図１４では、横方向を矢印Ｌ、縦方向を矢印Ｍで示し、後胴周り域６の両側部１０を前胴周り域４の横方向中央の側に移動させた状態を二点鎖線で示す。この物品１Ｂの装着手順と廃棄手順とは、図１のそれらと同一であり、それらの説明は省略する。
【００５０】
物品１Ｂでは、フック２０がアウターシート２を形成する不織布３５の繊維に引っ掛かかり、第１および第２係合部材１１，１２が後胴周り域６の側部１０内面に係合するとともに、フック２２がアウターシート２を形成する不織布３６の繊維に引っ掛かかり、第３係合部材１３が前胴周り域４の側部８外面に係合し、それら胴周り域４，６の側部８，１０どうしが連結される。
【００５１】
物品１Ｂは、第３係合部材１３が後胴周り域６の側部１０の縦方向上方部分１０ａと縦方向下方部分１０ｃとに存在しないので、それら胴周り域４，６の側部８，１０の連結位置が横方向へずれたとしても、側部１０の縦方向上方部分１０ａと縦方向下方部分１０ｃとにおいて第３係合部材１３が物品１Ｂの内側に露出することはない。物品１Ｂは、側部１０の縦方向上方部分１０ａと縦方向下方部分１０ｃとが着用者の腹部と脚部とに接したとしても、そこにフック２２が存在せず、そこに位置するアウターシート２が腹部と脚部とに接するだけなので、着用者の肌に不快な刺激を与えることはない。物品１Ｂは、第３係合部材１３の長さ寸法Ｓ４が第１および第２係合部材１１，１２のそれよりも小さく、図１の物品１Ａと比較し、第３係合部材１３が着用者の肌に当接することを確実に防ぐことができる。
【００５２】
物品１Ｂは、図１４，１５に示すように、第１〜第３係合部材１１，１２，１３が縦方向へほぼ直線状に並んだときに、それら係合部材１１，１２，１３の間に係合部材１１，１２，１３が存在しない非存在部位が生じることはなく、それら係合部材１１，１２，１３の間に非存在部位が生じる場合と比較し、それら胴周り域４，６の側部８，１０どうしの連結が解除され難い。
【００５３】
物品１Ｂは、第１〜第３係合部材１１，１２，１３の縦方向の合計長さ寸法Ｓ５が前後胴周り域４，６の側部８，１０の縦方向の長さ寸法Ｓ６とほぼ同一であるので、それら係合部材１１，１２，１３を前胴周り域４の外面や後胴周り域６の内面に係合させたときに、前後胴周り域４，６の側部８，１０の縦方向の長さ寸法Ｓ６のほぼ全体を係合させることができ、前後胴周り域４，６の側部８，１０どうしを確実に連結させることができる。
【００５４】
物品１Ｂは、着用者にそれを装着した状態のまま前後胴周り域４，６の側部８，１０どうしの連結を解除し、後胴周り域４の側部１０を矢印Ｌ１で示す前胴周り域４の横方向中央へ向かって引っ張り、後胴周り域６の側部１０内面を前胴周り域４の所要部位外面に重ね合わせ、それら係合部材１１，１２，１３を介して再び前後胴周り域４，６を連結することができる。
【００５５】
物品１Ｂは、それを着用者に装着した後、図１４に二点鎖線で示すように、それら係合部材１１，１２，１３を介して再び前胴周り域４と後胴周り域６とを連結することができるので、着用者の胴周り寸法に合わせて物品１Ｂの胴周り寸法Ｓ７を調節することができ、物品１Ｂによる着用者の胴部の締め付け具合を代えることができる。物品１Ｂは、着用者の胴周り寸法の如何に拘わらず、着用者の胴部を十分に締め付けることができ、着用中における物品１Ｂのずれ下がりを防ぐことができる。
【００５６】
物品１Ｂは、その股下域５を前胴周り域４の外面に向かって折り曲げ、後胴周り域６の両側部１０を股下域５の横方向中央へ向かって引っ張り、後胴周り域６の側部１０を股下域５の外面に押し付ける。側部１０を股下域５に押し付けると、フック２２がアウターシート２を形成する不織布３６の繊維に引っ掛かり、第３係合部材１３を介して後胴周り域６の側部１０を股下域５の外面に止着することができる。
【００５７】
物品１Ｂは、図８のそれと同様に、後胴周り域６の側部１０を股下域５の外面に連結してそれを畳むことができ、第３係合部材１３によって物品１Ｂの畳まれた状態が維持されるので、物品１Ｂを畳んだ状態のまま廃棄することができる。物品１Ｂは、係合部材１３によって胴周り開口３３と脚周り開口３４との閉じた状態が維持されるので、排泄物が胴周り開口３３や脚周り開口３４から物品１Ｂの外側に漏出したり、排泄物の臭気が胴周り開口３３や脚周り開口３４から物品１Ｂの外側に漏れることはない。
【００５８】
物品１Ｂは、後胴周り域６の両側部１０を物品１Ｂの内側に向かって折り曲げる必要はなく、第３係合部材１３が股下域５の外面に対向するので、側部１０をそのまま股下域５に押し付ければよく、廃棄時に手間を要せずに物品１Ｂを畳むことができる。物品１Ｂは、それが畳まれたときに、後胴周り域６の側部１０と股下域５の外面とに剪断力が作用するので、第３係合部材１３が股下域５の外面から外れ難く、物品１Ｂの畳まれた状態が不用意に解除されてしまうことはない。
【００５９】
表面シート２３には、親水性繊維不織布の他に、多数の開孔を有する疎水性繊維不織布を使用することができる。アウターシート２や裏面シート２４、防漏シート２８には、高い耐水性を有するメルトブローン法による繊維不織布の少なくとも片面に、高い強度と良好な柔軟性とを有するスパンボンド法による繊維不織布をラミネートした複合不織布（ＳＭ不織布、ＳＭＳ不織布）を使用することもできる。
【００６０】
繊維不織布には、スパンレース、ニードルパンチ、メルトブローン、サーマルボンド、スパンポンド、ケミカルボンドの各製法により製造された不織布を使用することができる。親水性繊維不織布は、親水化処理が施された合成繊維、半合成繊維、再生繊維のうちのいずれか、または、それら繊維を混合した複合繊維から作ることができる。疎水性繊維不織布は、合成繊維から作ることができる。疎水性繊維不織布には、撥水処理が施された半合成繊維や再生繊維が含まれていてもよい。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。
【００６１】
図９のアウターシート２を形成する伸縮性繊維不織布３５，３６には、メルトブローンやスパンボンドの各製法により製造されたものを使用することができる。伸縮性繊維不織布３５，３６の構成繊維には、熱可塑性エラストマー樹脂を溶融、紡糸した伸縮性繊維を使用することができる。アウターシート２には、熱可塑性エラストマー樹脂繊維からなる伸縮性かつ疎水性繊維不織布の少なくとも片面に、ポリプロピレン、ポリエチレン、ポリエステルのいずれかの熱可塑性合成樹脂を溶融、紡糸した捲縮繊維からなる疎水性繊維不織布を重ね合わせた複合不織布を使用することもできる。
【００６２】
シート２，２３，２４，２８どうしの固着、シート２３，２４に対するコア２５の接合、シート２，２８に対する弾性部材１６，１７，１８，３２の固着には、接着剤を使用することができる。接着剤は、アウターシート２や表裏面シート２３，２４、防漏シート２８にスパイラル状や波状、ジグザグ状、ドット状、縞状のうちのいずれかの態様で塗布されていることが好ましい。接着剤をそれらの態様でアウターシート２や表裏面シート２３，２４、防漏シート２８に塗布すると、それらシート２，２３，２４，２８どうしが断続的に固着され、コア２５がシート２３，２４に断続的に固着されるとともに、弾性部材１６，１７，１８，３２がシート２，２８に断続的に固着される。アウターシート２と係合部材１１，１２，１３との固着には、接着剤、または、ソニックシールやヒートシールの熱による融着手段を利用することができる。接着剤には、ホットメルト型接着剤やアクリル系接着剤、ゴム系接着剤のいずれかを使用することができる。
【００６３】
アウターシート２と係合部材１１，１２，１３とを接着剤によって固着する場合、アウターシート２を形成する不織布１４，１５，３５，３６は、それに含まれる仕上げ用油剤の溶剤抽出法（ＪＩＳ Ｌ １０１５ ７．２２）に準じて測定した含有率が不織布１４，１５，３５，３６を構成する繊維重量当たり０．０４ｗｔ以下であることが好ましい。仕上げ用油剤の含有率が繊維重量当たり０．０４ｗｔを超過すると、時間の経過とともに仕上げ用油剤が接着剤の接着力を次第に低下させ、アウターシート２に対する係合部材１１，１２，１３の接着強度が低下して係合部材１１，１２，１３がアウターシート２から剥離してしまう場合がある。仕上げ用油剤の含有率が繊維重量当たり０．０４ｗｔ以下であると、接着剤の接着力の低下を防ぐことができ、物品１Ａ，１Ｂを長期間放置したとしても、アウターシート２に対する係合部材１１，１２，１３の接着強度の低下を防ぐことができる。仕上げ用油剤には、アニオン系や非イオン系、カチオン系、両性系のいずれかの界面活性剤、または、それら界面活性剤を混合したものが使用される。アニオン系や非イオン系の界面活性剤では、それらを繊維に付着し易くするため、それら界面活性剤に油脂ろう、脂肪酸、高級アルコール、鉱物油、硬化油のいずれかを混合する場合がある。
【００６４】
【発明の効果】
本発明にかかる使い捨て着用物品によれば、第３係合部材が後胴周り域の側部の縦方向上方部分と縦方向下方部分とに存在しないので、それら胴周り域の側部の連結位置が横方向へずれたとしても、第３係合部材が後胴周り域の側部の縦方向上方部分と縦方向下方部分とにおいて物品の内側に露出することはない。この物品は、後胴周り域の側部の縦方向上方部分と縦方向下方部分とが着用者の腹部と脚部とに接したとしても、そこにフックが存在せず、フックが腹部と脚部とに接することがないので、着用者の肌に不快な刺激を与えることはない。
【００６５】
この物品は、それを着用者に装着した後、第１〜第３係合部材を介して再び前胴周り域と後胴周り域とを連結することができるので、着用者の胴周り寸法に合わせて物品の胴周り寸法を調節することができ、物品による着用者の胴部の締め付け具合を代えることができる。この物品は、着用者の胴周り寸法の如何に拘わらず、着用者の胴部を十分に締め付けることができ、着用中における物品のずれ下がりを防ぐことができる。
【００６６】
後胴周り域の両側部が第３係合部材を介して股下域の所要部位の外面に止着可能な物品は、第３係合部材を介して後胴周り域の両側部を股下域の所要部位に止着することで、物品の畳まれた状態が維持されるので、物品を畳んだ状態のまま廃棄することができる。この物品は、後胴周り域の両側部を物品の内側に向かって折り曲げる必要はなく、側部をそのまま股下域に押し付ければよいので、廃棄時に手間を要することなく物品を畳むことができる。この物品は、それが畳まれたときに、後胴周り域の側部と股下域の外面とに剥離力が作用することはなく、物品の畳まれた状態が不用意に解除されてしまうことはない。
【００６７】
第３係合部材の縦方向の長さ寸法が第１および第２係合部材の縦方向の離間寸法とほぼ同一または第１および第２係合部材の縦方向の離間寸法よりもわずかに大きい物品では、それら係合部材どうしの間に係合部材が存在しない非存在部位が生じることはなく、それら胴周り域の側部どうしの連結が解除され難い。
【００６８】
第３係合部材の縦方向の長さ寸法が第１および第２係合部材の縦方向の長さ寸法よりも小さい物品では、第３係合部材が着用者の肌に当接することを確実に防ぐことができる。
【００６９】
第１〜第３係合部材を縦方向へ並べたときのそれら係合部材の縦方向の合計長さ寸法が前後胴周り域の側部の縦方向の長さ寸法とほぼ同一である物品では、それら係合部材を後胴周り域の内面や前胴周り域の外面に係合させたときに、前後胴周り域の側部の縦方向の長さ寸法のほぼ全体を係合させることができ、前後胴周り域の側部どうしを確実に連結させることができる。
【図面の簡単な説明】
【図１】  一例として示す着用物品の斜視図。
【図２】  図１のＩＩ−ＩＩ線端面図。
【図３】  図１のＩＩＩ−ＩＩＩ線端面図。
【図４】  図１のＩＶ−ＩＶ線矢視断面図。
【図５】  図１のＶ−Ｖ線矢視断面図。
【図６】  着用状態で示す図１の物品の斜視図。
【図７】  図６のＶＩＩ−ＶＩＩ線端面図。
【図８】  廃棄するために畳まれた図１の物品の斜視図。
【図９】  他の一例として示す着用物品の斜視図。
【図１０】  図９のＸ−Ｘ線端面図。
【図１１】  図９のＸＩ−ＸＩ線端面図。
【図１２】  図９のＸＩＩ−ＸＩＩ線矢視断面図。
【図１３】  図９のＸＩＩＩ−ＸＩＩＩ線矢視断面図。
【図１４】  着用状態で示す図９の物品の斜視図。
【図１５】  図１４のＸＶ−ＸＶ線端面図。
【符号の説明】
１Ａ          使い捨て着用物品
１Ｂ          使い捨て着用物品
２            不透液性アウターシート
３            積層パネル
４            前胴周り域
５            股下域
６            後胴周り域
７            両端部
８            両側部
８ａ          縦方向上方部分
８ｂ          縦方向中央部分
８ｃ          縦方向下方部分
９            両側部
１０            両側部
１０ａ          縦方向上方部分
１０ｂ          縦方向中央部分
１０ｃ          縦方向下方部分
１１            第１係合部材
１１ａ          外側縁
１２            第２係合部材
１２ａ          外側縁
１３            第３係合部材
１３ａ          外側縁
１４            疎水性繊維不織布
１５            疎水性繊維不織布
１６            第１胴周り用弾性部材
１６ａ          横方向両端部
１７            第２胴周り用弾性部材
１７ａ          横方向両端部
１８            脚周り用弾性部材
１８ａ          縦方向端部
１９            側縁
２０            フック
２１            側縁
２２            フック
２３            透液性表面シート
２４            不透液性裏面シート
２５            吸液性コア
２８            液抵抗性防漏シート
２９            親水性繊維不織布
３０            疎水性繊維不織布
３５            伸縮性繊維不織布
３６            伸縮性繊維不織布
Ｓ１            長さ寸法
Ｓ２            長さ寸法
Ｓ３            離間寸法
Ｓ４            長さ寸法
Ｓ５            合計長さ寸法
Ｓ６            長さ寸法
【図１】
0003648237.tif 000002
【図２】
0003648237.tif 000003
【図３】
0003648237.tif 000004
【図４】
0003648237.tif 000005
【図５】
0003648237.tif 000006
【図６】
0003648237.tif 000007
【図７】
0003648237.tif 000008
【図８】
0003648237.tif 000009
【図９】
0003648237.tif 000010
【図１０】
0003648237.tif 000011
【図１１】
0003648237.tif 000012
【図１２】
0003648237.tif 000013
【図１３】
0003648237.tif 000014
【図１４】
0003648237.tif 000015
【図１５】
0003648237.tif 000016